(57)【要約】【課題】外部から外れることがなく、取り扱いも簡単で門扉の意匠性も向上させることができる門扉用ヒンジキャップ。【解決手段】門扉１の吊元側の側縁を表裏から１対のヒンジ部材９ａ、９ｂで挟持固定してなり、門柱２側ヒンジに対して共通の回転軸４を介して回動自在に連結される門扉１側ヒンジにおいて、上記１対のヒンジ部材を締結する締結ボルト１７の頭部２０を覆うキャップであって、上記締結ボルト１７の頭部２０と一方のヒンジ部材９ａとの間に挟まれて固定される固定部２２と、固定部２２に対して折り曲げ自在に形成されたカバー部２３とから構成され、カバー部２３によって上記締結ボルト１７の頭部２０を覆うとともに、カバー部２３を上記固定部２２又はヒンジ部材９ａに設けた係合部１６に係合させて閉じるようにした。【選択図】        図６
2004183253.tif 000002
【特許請求の範囲】
【請求項１】
門扉の吊元側の側縁を表裏から１対のヒンジ部材で挟持固定してなり、門柱側ヒンジに対して共通の回転軸を介して回動自在に連結される門扉側ヒンジにおいて、上記１対のヒンジ部材を締結する締結ボルトの頭部を覆うキャップであって、上記締結ボルトの頭部と一方のヒンジ部材との間に挟まれて固定される固定部と、固定部に対して折り曲げ自在に形成されたカバー部とから構成され、カバー部によって上記締結ボルトの頭部を覆うとともに、カバー部を上記固定部又はヒンジ部材に設けた係合部に係合させて閉じることを特徴とする門扉用ヒンジキャップ。
【請求項２】
前記一方のヒンジ部材には、前記固定部を収納する取付溝を形成し、上記固定部を前記締結ボルトの頭部又は該頭部に取りつけたワッシャで固定した、請求項１記載の門扉用ヒンジキャップ。
【請求項３】
前記カバー部は、前記固定部の門柱側に折り曲げ自在に取り付けられている、請求項１又は２に記載の門扉用ヒンジキャップ。
【発明の詳細な説明】
【０００１】
【発明の属する技術分野】
本発明は、門扉側のヒンジ部材に露出したボルトの頭部を覆う門扉用ヒンジキャップに関する。
【０００２】
【従来技術】
一般に、この種の門扉用ヒンジは、門扉側ヒンジと門柱側ヒンジとによって構成されている。いずれのヒンジも門扉又は門柱に対してボルトによって固定されている。門扉は屋敷の顔であり、単に防犯だけでなく、意匠性も重視されているので、ボルトの頭部といえども外部に露出するのは好ましくない。そのため、門扉用ヒンジのボルトをカバーで覆うものも実施されるようになってきている（例えば、特許文献１参照）。
【０００３】
【特許文献１】
実開平５−５２１９６号公報（全文）
【０００４】
【発明が解決しようとする課題】
しかしながら、上記キャップは門柱側ヒンジの固定ボルトの頭部を覆うものであり、門扉側ヒンジのボルトを覆うものではない。門扉側のボルトは門扉の端面と門柱の側面との間にあるので外部からは見えにくいが、しかし、門扉を開いたときは人目につきやすい部位に移るので、露出するのは好ましくない。
【０００５】
また、上記ヒンジカバーは単に門柱に固定された座部材７に係合させるにすぎないので、門扉の開閉時の振動や人や物がぶつかったり衣服を引っ掛けたりしたときの衝撃などにより簡単に外れてしまうおそれがある。
【０００６】
本発明は上記問題点を解消し、簡単に外れて脱落することがなく、取り扱いも簡単で門扉の意匠性も向上させることができる門扉用ヒンジキャップを提供することをその課題とする。
【０００７】
【課題を解決するための手段】
前記課題を解決するため、本発明に係る門扉用ヒンジキャップは、門扉の吊元側の側縁を表裏から１対のヒンジ部材で挟持固定してなり、門柱側ヒンジに対して共通の回転軸を介して回動自在に連結される門扉側ヒンジにおいて、上記１対のヒンジ部材を締結する締結ボルトの頭部を覆うキャップであって、上記締結ボルトの頭部と一方のヒンジ部材との間に挟まれて固定される固定部と、固定部に対して折り曲げ自在に形成されたカバー部とから構成され、カバー部によって上記締結ボルトの頭部を覆うとともに、カバー部を上記固定部又はヒンジ部材に設けた係合部に係合させて閉じることを特徴とする。
【０００８】
なお、前記一方のヒンジ部材には、前記固定部を収納する取付溝を形成し、上記固定部を前記締結ボルトの頭部又は該頭部に取りつけたワッシャで固定するのが好ましい。
【０００９】
また、前記カバー部は、前記固定部の門柱側に折り曲げ自在に取り付けられているのがよい。
【００１０】
【発明の実施の形態】
図１において符号１は門扉、２は門柱を示す。門扉１はヒンジ３を介して門柱２に開閉自在に支持されている。
【００１１】
ヒンジ３は図２及び図３に示されるように、門柱２側のヒンジ３ａと門扉１側のヒンジ３ｂとを回転軸４で連結したものである。
【００１２】
門柱２側のヒンジ３ａは、門柱２に固定されるヒンジ本体の内部に持送り５を調整ネジ６によって左右に調整可能に取りつけ、その表面をカバー７で覆ったもので、持送り５の先端にはヒジツボ８が形成されている。
【００１３】
これに対し、門扉１側のヒンジ３ｂは、門扉１の吊元側の側縁を表裏から挟持する１対のヒンジ部材９ａ、９ｂによって構成されている。門扉１の吊元側の側縁には、その表側と裏側に、長手方向に沿って係合溝１０が形成されている。
【００１４】
上記ヒンジ部材９ａ、９ｂのうち、一方のヒンジ部材９ａの一端には上記一方の係合溝１０に係合する係合凸部１１が形成され、他端には上下２個のボルト孔１２が設けられている。ボルト孔１２の近傍の内側には嵌合凸部１３が形成され、嵌合凸部１３から係合凸部１１側の面は傾斜面１４となっている。ボルト孔１２の外側には向き合いに形成された１対の突片によって取付溝１５が形成されている。さらに、中間部外側にはボルト孔１２を向くように断面Ｌ字形の係合部１６が形成されている。
【００１５】
他方のヒンジ部材９ｂの一端には上記他方の係合溝１０に係合する係合凸部１１が形成され、他端には締結ボルト１７の雌ネジ１８が設けられている。雌ネジ１８の近傍の内側には嵌合凹部１９が形成され、雌ネジ１８の延長側にはヒジツボ８が形成されている。
【００１６】
上記１対のヒンジ部材９ａ、９ｂはそれぞれ一体の係合凸部１１を門扉１の係合溝１０に係合させ、他端の内側面を突合せて一方の嵌合凸部１３と他方の嵌合凹部１９に嵌合させ、さらに締結ボルト１７を一方のボルト孔１２から挿通して他方の雌ネジ１８に螺合させ、門扉１の係合溝１０に沿って係合凸部１１を上下方向にスライドさせて最適位置で締結ボルト１７を強く雌ネジ１８にねじ込む。これにより、１対のヒンジ部材９ａ、９ｂは一体的に締結されて門扉１側のヒンジ３ｂを構成する。
【００１７】
次に、門柱２に門扉１を吊持させるには、門柱２と門扉１にヒンジを固定しておき、門柱２側のヒンジ３ａの上に門扉１側のヒンジ３ｂを重ね、門扉１側のヒンジ３ｂのヒジツボ８から回転軸４を嵌挿して門柱２側のヒンジ３ａのヒジツボ８に嵌合する。２７はヒジツボキャップ、２８は取付ビスである。これにより、門扉１は門柱２に開閉自在に支持される。
【００１８】
ところで、門扉１側のヒンジ３ｂには２本の締結ボルト１７の頭部２０が露出する。このボルト頭部２０は門扉１の閉止時に外部に露出する。このため、ボルト頭部２０はヒンジキャップ２１で覆われている。
【００１９】
すなわち、ヒンジキャップ２１は合成樹脂製で、図４に示されるように、裏側の固定部２２と固定部２２に対して折り曲げ自在に形成された表側のカバー部２３とから構成されている。固定部２２は図５に示されるように、肉厚で上下２個のボルト孔１２の間隔分の長さに形成され、カバー部２３は２個の締結ボルト１７の頭部２０を覆う程度の大きさで箱型に形成されている。そして、固定部２２とカバー部２３の開口端の一側（門柱２側）とは連結片２４を介して連結されている。また、カバー部２３の開口端の他側には係合片２５が形成されている。
【００２０】
上記ヒンジキャップ２１をとりつけるときは、まず２本の締結ボルト１７を仮締めしておき、図５〜図７に示されるように、固定部２２を取付溝１５に収納し、締結ボルト１７の間に配置して固定部２２の端部が締結ボルト１７の軸に当たるようにしておく。次に、締結ボルト１７を締めてワッシャ２６とヒンジ部材９ａとの間に固定部２２の両端を挟みつけて固定する。このようにして、ヒンジキャップ２１はヒンジ部材９ａに固定される。その後、カバー部２３で２本のボルト頭部２０を覆い、さらにカバー部２３の係合片２５をヒンジ部材９ａのＬ字形係合部１６に係合させて閉じればよい。
【００２１】
上記ヒンジキャップ２１によれば、固定部２２は、締結ボルト１７の頭部２０と一方のヒンジ部材９ａとの間に挟まれて固定されるものであるから、強固に取りつけられ、簡単に外れて脱落するようなことがなく、カバー部２３は固定部２２又はヒンジ部材９ａに設けた係合部１６に係合させて閉じる構成であるから、取り扱いも簡単である。さらに、門扉用の締結ボルト１７の頭部２０はカバー部２３によって覆われるので、門扉１の意匠性も向上させることができる。
【００２２】
また、カバー部２３は、固定部２２の門柱２側に折り曲げ自在に取り付けられているから、締結ボルト１７の締め付け作業を容易に行なうことができる。
【００２３】
なお、上記固定部２２はワッシャ２６ではなく、締結ボルト１７の頭部２０の背面で直接に固定してもよい。この例は、ワッシャ２６を用いない場合に有効である。
【００２４】
また、係合部１６は必ずしもヒンジ部材９ａに形成されている必要はない。上記ワッシャ２６を係合部１６としてもよい。また、カバー部２３は必ずしもヒンジ部材９ａに設けた係合部１６に係合させる例に限定されない。たとえば、固定部２２から連結片２４の反対側に係合部１６（図示せず）を形成し、この係合部１６に係合させてもよい。
【００２５】
【発明の効果】
請求項１に係る発明によれば、門扉用ヒンジキャップは、固定部と固定部に対して折り曲げ自在に形成されたカバー部とから構成され、固定部は、門扉側の１対のヒンジ部材を締結する締結ボルトの頭部と一方のヒンジ部材との間に挟まれて固定されるものであるから、強固に取りつけられ、簡単に外れて脱落するようなことがなく、カバー部は固定部又はヒンジ部材に設けた係合部に係合させて閉じる構成であるから、取り扱いも簡単である。さらに、門扉用の締結ボルトの頭部はカバー部によって覆われるので、門扉の意匠性も向上させることができる。
【００２６】
請求項２に係る発明によれば、前記一方のヒンジ部材には、前記固定部を収納する取付溝を形成し、上記固定部を前記締結ボルトの頭部又は該頭部に取りつけたワッシャで固定する構成であるから、締結ボルトで仮締めした後にヒンジキャップを取りつけることが可能である。また、格別の部材を必要とせず、簡単な構造であるにもかかわらず、ヒンジキャップを確実に固定することができる。
【００２７】
請求項３に係る発明によれば、カバー部は、前記固定部の門柱側に折り曲げ自在に取り付けられているから、締結ボルトの締め付け作業を容易に行なうことができる。
【図面の簡単な説明】
【図１】門柱と門扉の正面図
【図２】図１のＡ部の拡大図
【図３】図２の平面図
【図４】ヒンジキャップの斜視図
【図５】門扉側ヒンジの正面図
【図６】図５のＸ−Ｘ線上の断面図
【図７】図５のＹ−Ｙ線上の断面図
【符号の説明】
１  門扉
９ａ、９ｂ  ヒンジ部材
１７  締結ボルト
２１  ヒンジキャップ
２２  固定部
２３  カバー部
【図１】
2004183253.tif 000003
【図２】
2004183253.tif 000004
【図３】
2004183253.tif 000005
【図４】
2004183253.tif 000006
【図５】
2004183253.tif 000007
【図６】
2004183253.tif 000008
【図７】
2004183253.tif 000009